(57)【要約】【課題】本発明は、高いノイズ抑制効果を持つ小型で生産効率の良い積層コモンモードノイズフィルタを提供することを目的としている。【解決手段】課題を解決するための手段として、一方のコイルの内部導体が他方のコイルの内部導体を挟み込むように互い違いに積層し、コイル内部導体の内側に、この内部導体と組となる他の内部導体とを連結するための導体スルーホールの他に、このコイル内部導体との連結には関係しない導体スルーホールを貫通させた。【選択図】　図２
2004072006.tif 000002
【特許請求の範囲】
【請求項１】
複数の磁性体セラミックシートからなる積層体の内部に、磁性体セラミックシートを介して対向された２つの内部導体が導体スルーホールを介して連結された第１コイルと、同様に磁性体セラミックシートを介して対向された２つの内部導体が導体スルーホールを介して連結された第２コイルとが形成されていて、第１コイル・第２コイルがそれぞれ積層体端部に設置された４個の外部電極に連結された積層コモンモードノイズフィルタであって、第１コイル１層目内部導体、第２コイル１層目内部導体、第１コイル２層目内部導体、第２コイル２層目内部導体の順番に交互に挟み込むように積層し、渦巻状に形成された内部導体の内側でこのコイル内部導体との連結には関係しない複数個の導体スルーホールを重ね合わせて貫通させることで、第１コイル１層目内部導体と第１コイル２層目内部導体、第２コイル１層目内部導体と第２コイル２層目内部導体を連結したことを特徴とする積層コモンモードノイズフィルタ。
【請求項２】
渦巻状に形成された内部導体の内側に導体スルーホールの連結を目的とした中間ダミーパッドを設置したことを特徴とする請求項１記載の積層コモンモードノイズフィルタ。
【請求項３】
内部導体コイルパターンを概略台形とし互い違いの向きに積層したことを特徴とする請求項１，２いずれか１記載の積層コモンモードノイズフィルタ。
【請求項４】
内部導体と導体スルーホールにより構成される機能を基体内に複数個並列に配置して含ませてアレイ型としたことを特徴とする請求項１〜４いずれか１記載の積層コモンモードノイズフィルタ。
【請求項５】
順に積層された渦巻き状の複数の内部導体と、前記各内部導体を埋設する磁性を有する基体とを備え、上から奇数番目の内部導体間を電気的にそれぞれ接続して第１のコイルを構成し、上から偶数番目の内部導体間をそれぞれ電気的に接続して第２のコイルを構成し、隣り合う内部導体間は電気的に非接触としたことを特徴とする積層コモンモードノイズフィルタ。
【請求項６】
基体上に独立した複数の外部電極を備え、第１のコイルの両端部及び第２のコイルの両端部をそれぞれ前記複数の外部電極に一つずつ接合させたことを特徴とする請求項５記載の積層コモンモードノイズフィルタ。
【請求項７】
基体を複数の磁性シートを積層して構成するとともに、前記複数の磁性シート間にそれぞれ複数の内部導体をそれぞれ挟み込んだことを特徴とする請求項５記載の積層コモンモードノイズフィルタ。
【請求項８】
磁性シートに導体スルーホールを備え、前記導体スルーホールを介して基体内部で各内部導体間を電気的に接合したことを特徴とする請求項７記載の積層コモンモードノイズフィルタ。
【請求項９】
ｎ番目の内部導体とｎ＋２番目の内部導体を電気的に接続する際に、ｎ番目の内部導体と前記ｎ＋２番目の内部導体によって挟まれた磁性シートに導体スルーホールを設け、この導体スルーホールを介してｎ番目の内部導体とｎ＋２番目の内部導体を電気的に接続し、少なくとも前記ｎ＋１番目の内部導体が設けられた磁性シート間に前記導体スルーホールと接合し、前記ｎ＋１番目の内部導体と非接触のダミーパッドを設けたことを特徴とする請求項８記載の積層コモンモードノイズフィルタ。
【請求項１０】
複数の内部導体の内で、外部電極と接合する両端部を含む内部導体には一体に引出部を設け、前記引出部と前記外部電極を電気的に接合した請求項６記載の積層コモンモードノイズフィルタ。
【請求項１１】
複数の内部導体の渦巻き形状を一方の端部の幅が狭く他方の端部の幅が広い台形状とするとともに、隣り合う内部導体間は幅の狭い部分と幅の広い部分が対向し、前記隣り合う内部導体間の対向部分を減少させたことを特徴とする請求項５記載の積層コモンモードノイズフィルタ。
【発明の詳細な説明】
【０００１】
【発明の属する技術分野】
本発明は、ノイズの発生を抑制し、またノイズに対する耐性（イミュニティ）を高める様に電子機器の回路に組み込まれて使用される積層コモンモードノイズフィルタに関するものである。
【０００２】
【従来の技術】
近年電子機器のデジタル化が急速に進んでいる。デジタル化で電子機器は高性能・高機能化が進展した。しかし、デジタル機器は低い周波数から高い周波数まで多くの不要電磁波（以下ノイズ）を発生する。また、次世代携帯電話や無線ＬＡＮなどはＧＨｚ帯の高い周波数を使っている。デジタルノイズが他の機器に影響を与えないようにするために、ノイズ規制は世界的に厳しくなってきている。
【０００３】
積層セラミック電子部品の製造プロセスにおける代表的な工法であるシート法と印刷法の２つについて簡単に説明する。
【０００４】
シート法はセラミック粉末に樹脂と溶剤を混ぜペースト状にし、このペーストを適当な厚さに延ばし適度に乾燥させセラミックシートを作製する。このセラミックシートにスルーホールを開け、さらに内部導体を転写・印刷してコイルパターンを形成する。このコイルパターンが形成されたシートを積層多層化し接着することにより、積層セラミック電子部品を作製する。
【０００５】
印刷法はセラミック粉末に樹脂と溶剤を混ぜたペーストそのものを使用する。絶縁パターン状にセラッミクペーストを印刷し、これを乾燥して絶縁層を形成する。続いて内部導体を印刷してコイルパターンを形成する。これを連続して繰り返すことで、積層セラミック電子部品を作製する。
【０００６】
次にシート法と印刷法により作られた従来のノイズ対策用積層コモンモードノイズフィルタの構造を説明する。
【０００７】
図７は従来のノイズフィルタを示す分解構造斜視図である。複数の磁性体セラミックシート１５，１７，１９，２１，２３の積層体から構成されている。内部導体１６ｃと１８ｃが導体スルーホール１７ｃにより連結されコイルＣを形成し、内部導体２０ｄと２２ｄが導体スルーホール２１ｄにより連結されコイルＤを形成している。コイルＣとコイルＤは上下に重ねなれ、内部導体１８ｃと内部導体２０ｄとの結合によりコモンモードノイズを減衰させ、内部導体１６ｃと内部導体２２ｄとによりノーマルモードノイズを減衰させるものである。
【０００８】
図８は従来のノイズフィルタを示す分解構造斜視図である。複数の磁性体セラミックシート２４，２６，２８の積層体から構成されている。内部導体２５ｅと２７ｅが導体スルーホール２６ｅにより連結されコイルＥを形成し、内部導体２５ｆと２７ｆが導体スルーホール２６ｆにより連結されコイルＦを形成している。内部導体２５ｅ，２５ｆと内部導体２７ｅ，２７ｆはそれぞれ平行２線構造を取っているのでコイルＥとコイルＦ間には強い結合が得られコモンモードノイズを減衰させるものである。図１１に平行２線構造で作られた代表的コモンモードノイズフィルタのインピーダンスの周波数特性グラフを示しておく。
【０００９】
図９は従来のノイズフィルタを示す分解構造斜視図である。当該公報に開示された積層コモンモードチョークコイルは、フォトリソグラフィ等の薄膜プロセスを用い、一対の磁性体基板２９，３６とその間に積層された複数の絶縁層３１，３３，３５の積層体から構成されている。内部電極３４ｇはスルーホール３３ｇ，３１ｇを介して引き出し電極３０ｇに接続されてコイルＧを形成する。また内部電極３２ｈはスルーホール３１ｈを介して引き出し電極３０ｈに接続されてコイルＨを形成する。
【００１０】
絶縁層３１，３３，３５の厚みを１０μｍ以下にしても高い絶縁を確保できるので内部電極３４ｇと内部電極３２ｈとの間には強い結合が得られコモンモードノイズを減衰させるものである。
【００１１】
また従来の技術に用いられているコイルパターンの形状は図５に示すように概略長方形のものであった。
【００１２】
【発明が解決しようとする課題】
図７に示す２モードノイズフィルタのコイル構成では、２つのコイル間の結合に強く影響するのは、隣接している内部導体１８ｃと２０ｄだけであるので、結合が小さく十分なコモンモードノイズ除去効果が得られない課題があった。
【００１３】
図８に示すコモンモードノイズフィルタでは、平行２線構造をとっているのでコイルパターン２５ｅと２５ｆ間、コイルパターン２７ｅと２７ｆ間は結合が大きくなるが、コイル線幅が細くなることから定格電流が小さくなるという課題と、コイル線間距離が小さいことからコイルパターン２５ｅと２５ｆ間とコイルパターン２７ｅと２７ｆ間の絶縁が弱くなるという課題があった。また、１線巻きに比べて最大巻き数が少なくなることから高いインピーダンスには対応しにくいという課題もあった。
【００１４】
図９に示す積層コモンモードチョークコイルでは、磁性体基板と絶縁材料との張り合わせ構造になり層の剥離等の不良が発生しやすい課題があった。また２つのコイル間の結合に強く影響するのは、隣接している内部導体３４ｇと３２ｈだけであるので、結合が小さく十分なコモンモードノイズ除去効果が得られない課題や、第１コイル・第２コイルをそれぞれ１層の内部導体で形成しているので高いインピーダンスには対応しにくいという課題もあった。
【００１５】
また従来の概略長方形のコイルパターンを積層した場合、対向しあう面積が大きくなるため浮遊容量が大きくなり結果インピーダンス特性が高周波域まで延びないという課題があった。
【００１６】
本発明は、上記課題を解決するもので、特性を向上させるか、高いインピーダンスに対応するか、高周波域までインピーダンス特性を伸ばすことの少なくとも一つの実現する積層コモンモードノイズフィルタを提供することを目的としている。
【００１７】
【課題を解決するための手段】
本発明は、一方のコイルの内部導体が他方のコイルの内部導体を挟み込むように互い違いに積層し、コイル内部導体の内側に、この内部導体と組となる他の内部導体とを連結するための導体スルーホールの他に、このコイル内部導体との連結には関係しない導体スルーホールを貫通させた。
【００１８】
【発明の実施の形態】
請求項１記載の発明は、複数の磁性体セラミックシートからなる積層体の内部に、磁性体セラミックシートを介して対向された２つの内部導体が導体スルーホールを介して連結された第１コイルと、同様に磁性体セラミックシートを介して対向された２つの内部導体が導体スルーホールを介して連結された第２コイルとが形成されていて、第１コイル・第２コイルがそれぞれ積層体端部に設置された４個の外部電極に連結された積層コモンモードノイズフィルタにおいて、第１コイル１層目内部導体、第２コイル１層目内部導体、第１コイル２層目内部導体、第２コイル２層目内部導体の順番に交互に挟み込むように積層し、渦巻状に形成された内部導体の内側でこのコイル内部導体との連結には関係しない複数個の導体スルーホールを重ね合わせて貫通させることで、第１コイル１層目内部導体と第１コイル２層目内部導体、第２コイル１層目内部導体と第２コイル２層目内部導体を連結したことを特徴とする積層コモンモードノイズフィルタである。請求項１記載の発明を用いることで、導体スルーホールで連結したい内部導体の間に複数の内部導体がある場合でも他の内部導体と接触することなく最短距離で連結でき小型化に優れる。
【００１９】
また、渦巻状であるため電気的性能を高めることができる。
【００２０】
請求項２記載の発明は、請求項１記載のセラミック電子部品であり、渦巻状に形成された内部導体の内側に導体スルーホールの連結を目的とした中間ダミーパッドを設置したことを特徴とする積層コモンモードノイズフィルタである。請求項２記載の発明を用いることで、積層時の位置ずれに対して余裕ができ導体スルーホールの連結に関する不良を低減できる。
【００２１】
請求項３記載の発明は、請求項１、請求項２記載のセラミック電子部品であり、内部導体コイルパターンを概略台形とし互い違いの向きに積層したことを特徴とする積層コモンモードノイズフィルタである。請求項３記載の発明を用いることで、内部導体間の浮遊容量を低減できインピーダンスの周波数特性を高周波域まで延ばすことができる。
【００２２】
請求項４記載の発明は、請求項１、請求項２、及び請求項３記載の内部導体と導体スルーホールにより構成される機能を基体内に複数個並列に配置して含んだアレイ型積層コモンモードノイズフィルタである。請求項４記載の発明を用いることで電子回路基板への実装面積及び実装工数を低減できる。
【００２３】
請求項５記載の発明は、順に積層された渦巻き状の複数の内部導体と、前記各内部導体を埋設する磁性を有する基体とを備え、上から奇数番目の内部導体間をそれぞれ電気的に接続して第１のコイルを構成し、上から偶数番目の内部導体間を電気的に接続して第２のコイルを構成し、隣り合う内部導体間は電気的に非接触としたことを特徴とする積層コモンモードノイズフィルタとすることで、導体スルーホールで連結したい内部導体の間に複数の内部導体がある場合でも他の内部導体と接触することなく最短距離で連結でき小型化に優れる。
【００２４】
請求項６記載の発明は、基体上に独立した複数の外部電極を備え、第１のコイルの両端部及び第２のコイルの両端部をそれぞれ前記複数の外部電極に一つずつ接合させたことを特徴とする請求項５記載の積層コモンモードノイズフィルタとすることで、面実装部品として使用できる。
【００２５】
請求項７記載の発明は、基体を複数の磁性シートを積層して構成するとともに、前記複数の磁性シート間にそれぞれ複数の内部導体をそれぞれ挟み込んだことを特徴とする請求項５記載の積層コモンモードノイズフィルタとすることで、製造が容易になる。
【００２６】
請求項８記載の発明は、磁性シートに導体スルーホールを備え、前記導体スルーホールを介して基体内部で各内部導体間を電気的に接合したことを特徴とする請求項７記載の積層コモンモードノイズフィルタとすることで、内部での電気的接続が可能となるので、小型化を実現できる。
【００２７】
請求項９記載の発明は、ｎ番目の内部導体とｎ＋２番目の内部導体を電気的に接続する際に、ｎ番目の内部導体と前記ｎ＋２番目の内部導体によって挟まれた磁性シートに導体スルーホールを設け、この導体スルーホールを介してｎ番目の内部導体とｎ＋２番目の内部導体を電気的に接続し、少なくとも前記ｎ＋１番目の内部導体が設けられた磁性シート間に前記導体スルーホールと接合し、前記ｎ＋１番目の内部導体と非接触のダミーパッドを設けたことを特徴とする請求項８記載の積層コモンモードノイズフィルタとすることで、積層時の位置ずれに対して余裕ができ導体スルーホールの連結に関する不良を低減できる。
【００２８】
請求項１０記載の発明は、複数の内部導体の内で、外部電極と接合する両端部を含む内部導体には一体に引出部を設け、前記引出部と前記外部電極を電気的に接合した請求項６記載の積層コモンモードノイズフィルタとすることで、別途引出部を設けなくても良いので、生産性などを向上させることができる。
【００２９】
請求項１１記載の発明は、複数の内部導体の渦巻き形状を一方の端部の幅が狭く他方の端部の幅が広い台形状とするとともに、隣り合う内部導体間は幅の狭い部分と幅の広い部分が対向し、前記隣り合う内部導体間の対向部分を減少させたことを特徴とする請求項５記載の積層コモンモードノイズフィルタとすることで、内部導体間の浮遊容量を低減できインピーダンスの周波数特性を高周波域まで延ばすことができる。
【００３０】
図１は本発明の一実施の形態における積層コモンモードノイズフィルタを示す外観図、図２は本発明の一実施の形態における積層コモンモードノイズフィルタを示す分解構造斜視図、図３は本発明の一実施の形態における積層コモンモードノイズフィルタのコイルを示す図を示している。
【００３１】
図１に示すように、５は基体で、基体５の外観は略直方体形状となっており、角部に面取りなどが施されている。また、基体５は磁性体で構成されており、しかもその磁性体中に後述する複数のコイルを埋設して構成される。基体５の第１の側面には外部電極１，３が設けられ、第１の側面に対向した第２の側面には外部電極２，４が設けられている。この外部電極１〜４は埋設された２つのコイルの両端部がそれぞれ接続されている。なお、本実施の形態では、実装性等を向上させるために、外部電極１〜４はそれぞれ第１及び第２の側面に近接する基体１の上下面の一部にも設けられており、外部電極１〜４の断面形状は略コ字型となっている。また、外部電極１〜４はそれぞれ互いに非接触となうように基体５の表面に設けられており、構成としては、銀ペーストなどの導体を基体５上に設け、その導体上に例えば、ニッケルメッキ膜や半田メッキ膜，鉛フリーメッキ膜，Ｓｎ膜などの接合膜の少なくとも一つが設けられる。
【００３２】
上述の様に基体５の表面の角部に面取りなどを設けているので、基体５の欠け等の発生確率を抑えてくずの発生を防止でき、しかも外部電極１〜４を図１に示すように複数の面に跨って形成する場合に、外部電極１〜４が切れたり、途中部分が薄くなって電気的特性が劣化することなどを防止できる。
【００３３】
なお、本実施の形態では、基体５の外形形状を略直方体形状としたが、略直方体形状でも良く、円柱状などとしても良い。また、断面五角形以上の多角柱形状としても良い。また、上記形状の基体５の一部を削って窪みを設けたり、貫通孔等を設けても良い。
【００３４】
更に、基体５の構成材料としては、フェライトなどの磁性材料の他、所定の絶縁性を有する磁性材料であればよい。
【００３５】
以下、この積層コモンモードノイズフィルタについてその製法の一例を示す。
【００３６】
始めに準備品として、ドクターブレード法で作成した厚さ約１００μｍのフェライトシートを２枚（フェライトシート６，フェライトシート１４）、前記フェライトシートにレーザー又は機械的パンチにより穴をあけた後銀ペーストを注入した導体スルーホールフェライトシートを３種類（導体スルーホールフェライトシート８，導体スルーホールフェライトシート１０，導体スルーホールフェライトシート１２）、ステンレス板にフォトレジスト液を塗布し光学的にコイルパターンを焼き付けた後現像したものに電解メッキ法で銀メッキコイルパターンを析出させたものを４パターン（コイルパターン７ａ，コイルパターン９ｂ，コイルパターン１１ａ，コイルパターン１３ｂ）用意する。
【００３７】
図２において、固定用の粘着シートを貼り付けたベース板に下から順番にフェライトシート６、１番目コイル１層目コイルパターン７ａ、導体スルーホールフェライトシート８、２番目コイル１層目コイルパターン９ｂ、導体スルーホールフェライトシート１０、１番目コイル２層目コイルパターン１１ａ、導体スルーホールフェライトシート１２、２番目コイル２層目コイルパターン１３ｂ、フェライトシート１４の順番で軽くプレスしながら積層していく。
【００３８】
次に上記の積層体を強くプレスし全体の密着をあげた後、所定の大きさに切断し篩などでばらしておく。所定の温度で焼結させたものを、バレル研磨機で面取りすると図１に示すフェライトの基体５ができる。フェライトの基体５に銀ペーストを塗布し焼成し外部電極１〜４を設置する。最後に外部電極１，２，３，４の表面にＮｉメッキ膜及びＳｎメッキ膜等を施すことで完成する。
【００３９】
図３において、螺旋状に形成されたコイルパターン９ｂの内側を、このコイルパターン９ｂとの連結には関係しない１個の導体スルーホール（導体スルーホール８ａ，１０ａが連結したもの）を貫通させることで、面平行に積層された２層のコイルパターン７ａ，１１ａが導体スルーホール８ａ，１０ａにより連結されコイルＡが形成されている。
【００４０】
また螺旋状に形成されたコイルパターン１１ａの内側を、このコイルパターン１１ａとの連結には関係しない１個の導体スルーホール（導体スルーホール１０ｂ，１２ｂが連結したもの）を貫通させることで、面平行に積層された２層のコイルパターン９ｂ，１３ｂが導体スルーホール１０ｂ，１２ｂより連結されコイルＢが形成されている。
【００４１】
このように導体スルーホールを配置することで、４層のコイルパターン７ａ，９ｂ，１１ａ，１３ｂが１巻き以上の螺旋状である場合でも他のコイルと接触することなく最短距離で連結でき小型化に優れた積層コモンモードノイズフィルタとすることができる。またコイルパターン９ｂがコイルパターン７ａ，１１ａに挟まれ、コイルパターン１１ａがコイルパターン９ｂ，１３ｂに挟まれるので、コイルＡとコイルＢ間の磁気的な相互結合を強めノイズ除去効果の優れた積層セラミック電子部品とすることができる。
【００４２】
以上の工程によりフェライトを利用した高結合ノイズ対策用積層コモンモードノイズフィルタを得ることが出来る。
【００４３】
図１２に図１〜図３で示した実施の形態の構造で作られたノイズ対策用積層コモンモードノイズフィルタのインピーダンスの周波数特性グラフを示す。図１１の従来品に比べてデェファレンシャルモードインピーダンス（Ｚｄｉｆｆ）の値が約半分になっていることがわかる。
【００４４】
また、改良例を図４，図５に示す。図４，図５において面平行に積層された２層のコイルパターン７ａ，１１ａが導体スルーホール８ａ，１０ａにより連結されたコイルＡと、面平行に積層された２層のコイルパターン９ｂ，１３ｂが導体スルーホール１０ｂ，１２ｂより連結されたコイルＢが２固形成されている。コイルパターン９ｂがコイルパターン７ａ，１１ａに挟まれ、コイルパターン１１ａがコイルパターン９ｂ，１３ｂに挟まれるので、コイルＡとコイルＢ間の磁気的な相互結合を強めノイズ除去効果の優れた積層セラミック電子部品とすることができる。この時導体スルーホール８ａ，１０ａを直接連結させる代わりに中間ダミーパッド９ａを、導体スルーホール１０ｂ，１２ｂを直接連結させる代わりに中間ダミーパッド１１ｂを設置することで、積層時の位置ずれに対して余裕ができ導体スルーホールの連結に関する不良を低減できる。なお、この場合、中間ダミーパッド９ａ，１１ｂは導体スルーホールを塞ぐように設けられる。この場合、中間ダミーパッド９ａ，１１ｂは、メッキの転写などを用いて形成される。なお、中間ダミーパッド９ａ，１１ｂは、導体スルーホールを塞がないように、しかも導体スルーホールと電気的に接触し、導体スルーホールの周りに印刷などで設けても良い。
【００４５】
次の改良例について図６を用いて説明する。内部導体のコイルパターン１３ｂ，１１ａ，９ｂ，７ａを概略台形とし互い違いの向きに積層することで、対向しあう面積が小さくなるため浮遊容量が小さくなり結果内部導体間の浮遊容量を低減できインピーダンスの周波数特性を高周波域まで延ばすことができる。すなわち、内部導体のコイルパターン１３ｂ，１１ａ，９ｂ，７ａの一端の幅が狭く、他端部が広くなるような台形形状となるように内部導体を渦巻き状に形成し、しかも隣り合う内部導体のコイルパターン１３ｂ，１１ａ，９ｂ，７ａの幅が狭い端部と幅が広い部分を図６に示すように交互に積層することで、コイルパターの重なり部分をわずかにすることができる。
【００４６】
図１３にこのように構成されたノイズ対策用積層コモンモードノイズフィルタのインピーダンスの周波数特性グラフを示す。図１１の従来品に比べてデェファレンシャルモードインピーダンス（Ｚｄｉｆｆ）の値は約半分になっている。また図１２に示す様に図１〜３に示す実施の形態でのデェファレンシャルモードインピーダンスピーク周波数約３５０ＭＨｚに対し、図１３に示す図６のコイルパターンを有する実施の形態では約４５０ＭＨｚとなり高周波側まで延びている。
【００４７】
また、上述の実施の形態では、同軸に２つのコイルを設けた例を示したが、図１０に示すように、一つの基体５中に２個のコモンモードノイズフィルタを並列に配置したビーズアレイのコイル構成としても良い。図１０に示すビーズアレイとすることで電子回路基板への実装面積及び実装工数を低減できる。また、基体５中に３個以上のコモンモードノイズフィルタを並列に配置しても良い。
【００４８】
【発明の効果】
本発明により、一方のコイルの内部導体が他方のコイルの内部導体を挟み込むように互い違いに積層し、コイル内部導体の内側に、この内部導体と組となる他の内部導体とを連結するための導体スルーホールの他に、このコイル内部導体との連結には関係しない導体スルーホールを貫通させたことで、導体スルーホールで連結したい内部導体の間に複数の内部導体がある場合でも他の内部導体と接触することなく最短距離で連結でき小型化に優れる。
【図面の簡単な説明】
【図１】本発明の一実施の形態における積層コモンモードノイズフィルタを示す外観図
【図２】本発明の一実施の形態における積層コモンモードノイズフィルタを示す分解構造斜視図
【図３】本発明の一実施の形態における積層コモンモードノイズフィルタのコイルを示す図
【図４】本発明の一実施の形態における積層コモンモードノイズフィルタのコイルを示す図
【図５】本発明の一実施の形態における積層コモンモードノイズフィルタのコイルを示す図
【図６】本発明の一実施の形態における積層コモンモードノイズフィルタのコイルを示す図
【図７】従来のノイズフィルタを示す分解構造斜視図
【図８】従来のノイズフィルタを示す分解構造斜視図
【図９】従来のノイズフィルタを示す分解構造斜視図
【図１０】本発明の一実施の形態における積層コモンモードノイズフィルタのコイルを示す図
【図１１】従来のコモンモードノイズフィルタのインピーダンス特性を示すグラフ
【図１２】本発明の一実施の形態における積層コモンモードノイズフィルタのインピーダンス特性を示すグラフ
【図１３】本発明の一実施の形態における積層コモンモードノイズフィルタのインピーダンス特性を示すグラフ
【符号の説明】
１，２，３，４　外部電極
５　基体
６，１４　フェライトシート
７ａ，９ｂ，１１ａ，１３ｂ　コイルパターン
８，１０，１２　導体スルーホールフェライトシート
８ａ，１０ａ，１０ｂ，１２ｂ　導体スルーホール
９ａ，１１ｂ　中間ダミーパッド
【図１】
2004072006.tif 000003
【図２】
2004072006.tif 000004
【図３】
2004072006.tif 000005
【図４】
2004072006.tif 000006
【図５】
2004072006.tif 000007
【図６】
2004072006.tif 000008
【図７】
2004072006.tif 000009
【図８】
2004072006.tif 000010
【図９】
2004072006.tif 000011
【図１０】
2004072006.tif 000012
【図１１】
2004072006.tif 000013
【図１２】
2004072006.tif 000014
【図１３】
2004072006.tif 000015